(57)【要約】【課題】撮像レンズ等の光学部品の移動を検知可能であって、従来より更に小型化が達成される光学部品検知機構。【解決手段】光学部品を保持する保持部材と、  前記保持部材を直進案内すると共に平坦部を有する案内軸と、  前記平坦部に対して光を照射し、該平坦部で反射した反射光を受光する反射型フォトセンサと、を備え、  前記保持部材が前記案内軸に案内されて所定位置に移動する前と移動したときとで前記反射型フォトセンサへ入射する光量が変化することにより、前記保持部材の所定位置への移動を検知すること。【選択図】図２
2010170017.tif 000002
【特許請求の範囲】
【請求項１】
光学部品を保持する保持部材と、
前記保持部材を直進案内すると共に平坦部を有する案内軸と、
前記平坦部に対して光を照射し、該平坦部で反射した反射光を受光する反射型フォトセンサと、を備え、
前記保持部材が前記案内軸に案内されて所定位置に移動する前と移動したときとで前記反射型フォトセンサへ入射する光量が所定光量に変化することにより、前記保持部材の所定位置への移動を検知することを特徴とする光学部品検知機構。
【請求項２】
前記保持部材が所定位置に移動する前は、前記反射型フォトセンサは前記平坦部で反射した反射光を受光可能であり、前記保持部材が所定位置に移動したときは、前記反射型フォトセンサは前記平坦部で反射した反射光を受光不能であることを特徴とする請求項１に記載の光学部品検知機構。
【請求項３】
前記保持部材が所定位置に移動する前は、前記反射型フォトセンサは前記平坦部で反射した反射光を受光不能であり、前記保持部材が所定位置に移動したときは、前記反射型フォトセンサは前記平坦部で反射した反射光を受光可能であることを特徴とする請求項１に記載の光学部品検知機構。
【請求項４】
前記平坦部は、前記案内軸の外周面に設けた凹部の底部に形成されていることを特徴とする請求項１〜３の何れか１項に記載の光学部品検知機構。
【請求項５】
前記案内軸の外周面と凹部の側壁とが成すエッジにＣ面取り若しくはＲ面取りが施されていることを特徴とする請求項４に記載の光学部品検知機構。
【請求項６】
前記保持部材は前記案内軸に対して摺動する筒部を有すると共に、該筒部における前記案内軸と摺動する摺動面の軸方向の長さが前記案内軸の凹部の軸方向の長さより大であることを特徴とする請求項４又は５に記載の光学部品検知機構。
【請求項７】
前記保持部材は前記案内軸に対して摺動する筒部を有すると共に、該筒部に貫通孔が設けられ、前記反射型フォトセンサの光が該貫通孔を通過して前記案内軸の平坦部に対して照射さると共に該平坦部で反射して該貫通孔を通過した反射光を受光可能であることを特徴とする請求項４〜６の何れか１項に記載の光学部品検知機構。
【請求項８】
前記平坦部は、前記案内軸の外周面に設けた凸部の先端面に形成されていることを特徴とする請求項１〜３の何れか１項に記載の光学部品検知機構。
【請求項９】
前記保持部材は前記案内軸に対して摺動する筒部を有し、該筒部の端部が前記案内軸の凸部の端部に当接可能であることを特徴とする請求項８に記載の光学部品検知機構。
【請求項１０】
前記平坦部に、光を反射する反射板が貼着されていることを特徴とする請求項１〜９の何れか１項に記載の光学部品検知機構。
【請求項１１】
前記保持部材は前記案内軸に対して摺動する筒部を有し、該筒部が前記反射型フォトセンサの光を遮蔽することを特徴とする請求項１〜１０の何れか１項に記載の光学部品検知機構。
【請求項１２】
前記保持部材は前記案内軸に対して摺動する筒部を有すると共に、該筒部に遮光部材が一体的に形成されていて、該遮光部材が前記反射型フォトセンサの光を遮蔽することを特徴とする請求項１〜１０の何れか１項に記載の光学部品検知機構。
【請求項１３】
前記案内軸の平坦部を軸端部まで延長し、該軸端部の断面形状に対応すると共に前記平坦部に対応する弦の部分が前記反射型フォトセンサの方向を向いた孔を所定の支持部材に穿設し、前記案内軸の軸端部を前記支持部材の孔に嵌合させたことを特徴とする請求項１〜１２の何れか１項に記載の光学部品検知機構。
【請求項１４】
前記光学部品は撮像レンズであることを特徴とする請求項１〜１３の何れか１項に記載の光学部品検知機構。
【請求項１５】
請求項１４に記載の光学部品検知機構を備えたことを特徴とするレンズユニット。
【請求項１６】
請求項１５に記載のレンズユニットを内蔵したことを特徴とする撮像装置。
【発明の詳細な説明】
【技術分野】
【０００１】
本発明は、光学部品の移動を反射型フォトセンサにより検知する光学部品検知機構、該光学部品検知機構を備えたレンズユニット及び該レンズユニットを内蔵した撮像装置に関する。
【背景技術】
【０００２】
フォーカシングやズーミングのときには撮像レンズを光軸方向に移動させる必要があり、撮像レンズを保持するレンズ枠を光軸に平行な２本程度の案内軸に沿って直進移動させるのが一般的である。この際に、レンズ枠を所望の位置に移動させるためには移動開始する初期位置を明確に定める必要があり、この位置検知にフォトセンサが用いられることが多い。
【０００３】
フォトセンサとしては、反射型と遮断型とがあるが、反射型の方が装置が簡素化し小型化する。このような反射型フォトセンサを用いたレンズユニットは従来より知られており、特許公報に開示されている（例えば、特許文献１参照）。
【先行技術文献】
【特許文献】
【０００４】
【特許文献１】特開２００６−３３７８０９号公報
【発明の概要】
【発明が解決しようとする課題】
【０００５】
近年は、携帯電話機やデジタルカメラの撮像装置において薄型化が要求されており、これに伴って撮像装置に内蔵されるレンズユニットも薄型化が要求されている。
【０００６】
このような要求に応えるレンズユニットには、撮像レンズを保持するレンズ枠の左右に案内軸を配置すると共に、一方の案内軸より外側に反射型フォトセンサを配置し、光の反射面を案内軸に対して摺動するレンズ枠の筒部に設けた光学部品検知機構を備えることが考えられる。このように構成することにより、レンズユニットは横方向に大きくなっても、縦方向には小さくなるので、薄型化の要求が達成される。
【０００７】
この一例を図１４の正面図に示す。Ｌは撮像レンズ、２１１は撮像レンズＬを保持するレンズ枠である。左に配置された案内軸２１２にレンズ枠２１１の左に突出した筒部２１１ａが嵌合し、右に配置された案内軸２１３にレンズ枠２１１の右に突出した腕部２１１ｂが嵌合している。レンズ枠２１１は案内軸２１２，２１３に直進案内されて紙面垂直方向に移動する。また、レンズ枠２１１の筒部２１１ａより一定量離れた位置には反射型フォトセンサ２１５が配置され、筒部２１１ａには反射型フォトセンサ２１５から照射された光を反射する反射板２１４が貼着されている。
【０００８】
図１５は図１４に示したレンズ枠２１１を移動させ、その移動を検知する光学部品検知機構の図である。レンズ枠２１１は不図示の駆動手段によって駆動され、案内軸２１２，２１３に直進案内されて図の下方から上方に移動する。
【０００９】
レンズ枠２１１が図１５（Ａ）の如く下方に位置するときは、反射型フォトセンサ２１５から投光された光は案内軸２１２に照射されるが、案内軸２１２の外周面は丸いので各方向に反射し、反射型フォトセンサ２１５に僅かな光しか受光されない。また、反射型フォトセンサ２１５に対して案内軸２１２の位置が離れているので、案内軸２１２の中央に照射されて反射型フォトセンサ２１５の方向に反射された僅かな光も位置がずれ、反射型フォトセンサ２１５に受光されることはない。従って、反射型フォトセンサ２１５から出力される信号をオフと判断する。
【００１０】
一方、レンズ枠２１１が上方に移動して図１５（Ｂ）の如く位置したときは、反射型フォトセンサ２１５から投光された光が反射板９４に照射され、反射光が反射型フォトセンサ２１５に受光される。従って、反射型フォトセンサ２１５から出力される信号はオフからオンに切り換わったものと判断する。依って、レンズ枠２１１が図１５（Ｂ）の如く位置したときに、フォーカシング等の初期位置とすることができる。
【００１１】
しかしながら、このような光学部品検知機構においても更なる小型化が要求され、横方向にもより小型化することが必要になっている。
【００１２】
本発明はかかる問題に鑑みてなされたものであり、更に小型化を達成して、撮像レンズ等の光学部品の移動を検知可能な光学部品検知機構、該光学部品検知機構を備えたレンズユニット及び該レンズユニットを内蔵した撮像装置を提案することを発明の目的とする。
【課題を解決するための手段】
【００１３】
前記目的は、下記に記載した発明により達成される。
【００１４】
１．光学部品を保持する保持部材と、
前記保持部材を直進案内すると共に平坦部を有する案内軸と、
前記平坦部に対して光を照射し、該平坦部で反射した反射光を受光する反射型フォトセンサと、を備え、
前記保持部材が前記案内軸に案内されて所定位置に移動する前と移動したときとで前記反射型フォトセンサへ入射する光量が所定光量に変化することにより、前記保持部材の所定位置への移動を検知することを特徴とする光学部品検知機構。
【００１５】
２．前記保持部材が所定位置に移動する前は、前記反射型フォトセンサは前記平坦部で反射した反射光を受光可能であり、前記保持部材が所定位置に移動したときは、前記反射型フォトセンサは前記平坦部で反射した反射光を受光不能であることを特徴とする前記１に記載の光学部品検知機構。
【００１６】
３．前記保持部材が所定位置に移動する前は、前記反射型フォトセンサは前記平坦部で反射した反射光を受光不能であり、前記保持部材が所定位置に移動したときは、前記反射型フォトセンサは前記平坦部で反射した反射光を受光可能であることを特徴とする前記１に記載の光学部品検知機構。
【００１７】
４．前記平坦部は、前記案内軸の外周面に設けた凹部の底部に形成されていることを特徴とする前記１〜３の何れか１項に記載の光学部品検知機構。
【００１８】
５．前記案内軸の外周面と凹部の側壁とが成すエッジにＣ面取り若しくはＲ面取りが施されていることを特徴とする前記４に記載の光学部品検知機構。
【００１９】
６．前記保持部材は前記案内軸に対して摺動する筒部を有すると共に、該筒部における前記案内軸と摺動する摺動面の軸方向の長さが前記案内軸の凹部の軸方向の長さより大であることを特徴とする前記４又は５に記載の光学部品検知機構。
【００２０】
７．前記保持部材は前記案内軸に対して摺動する筒部を有すると共に、該筒部に貫通孔が設けられ、前記反射型フォトセンサの光が該貫通孔を通過して前記案内軸の平坦部に対して照射さると共に該平坦部で反射して該貫通孔を通過した反射光を受光可能であることを特徴とする前記４〜６の何れか１項に記載の光学部品検知機構。
【００２１】
８．前記平坦部は、前記案内軸の外周面に設けた凸部の先端面に形成されていることを特徴とする前記１〜３の何れか１項に記載の光学部品検知機構。
【００２２】
９．前記保持部材は前記案内軸に対して摺動する筒部を有し、該筒部の端部が前記案内軸の凸部の端部に当接可能であることを特徴とする前記８に記載の光学部品検知機構。
【００２３】
１０．前記平坦部に、光を反射する反射板が貼着されていることを特徴とする前記１〜９の何れか１項に記載の光学部品検知機構。
【００２４】
１１．前記保持部材は前記案内軸に対して摺動する筒部を有し、該筒部が前記反射型フォトセンサの光を遮蔽することを特徴とする前記１〜１０の何れか１項に記載の光学部品検知機構。
【００２５】
１２．前記保持部材は前記案内軸に対して摺動する筒部を有すると共に、該筒部に遮光部材が一体的に形成されていて、該遮光部材が前記反射型フォトセンサの光を遮蔽することを特徴とする前記１〜１０の何れか１項に記載の光学部品検知機構。
【００２６】
１３．前記案内軸の平坦部を軸端部まで延長し、該軸端部の断面形状に対応すると共に前記平坦部に対応する弦の部分が前記反射型フォトセンサの方向を向いた孔を所定の支持部材に穿設し、前記案内軸の軸端部を前記支持部材の孔に嵌合させたことを特徴とする前記１〜１２の何れか１項に記載の光学部品検知機構。
【００２７】
１４．前記光学部品は撮像レンズであることを特徴とする前記１〜１３の何れか１項に記載の光学部品検知機構。
【００２８】
１５．前記１４に記載の光学部品検知機構を備えたことを特徴とするレンズユニット。
【００２９】
１６．前記１５に記載のレンズユニットを内蔵したことを特徴とする撮像装置。
【発明の効果】
【００３０】
本発明の光学部品検知機構、該光学部品検知機構を備えたレンズユニット及び該レンズユニットを内蔵した撮像装置によれば、撮像レンズ等の光学部品の移動を検知可能であって、従来より更に小型化が達成される。
【図面の簡単な説明】
【００３１】
【図１】撮像装置の一例を示す図である。
【図２】レンズユニットの撮像光学系を示す図である。
【図３】レンズユニットの概略的な内部構造を示す斜視図である。
【図４】第１の実施の形態における光学部品検知機構の断面図である。
【図５】第１の実施の形態における案内軸の平坦部を示す拡大斜視図である。
【図６】第２の実施の形態における光学部品検知機構の断面図である。
【図７】第３の実施の形態における光学部品検知機構の断面図である。
【図８】第４の実施の形態における光学部品検知機構の断面図である。
【図９】第５の実施の形態における光学部品検知機構の断面図である。
【図１０】第６の実施の形態における光学部品検知機構の断面図である。
【図１１】第６の実施の形態における案内軸の平坦部を示す拡大斜視図である。
【図１２】第７の実施の形態における光学部品検知機構の断面図である。
【図１３】第８の実施の形態における光学部品検知機構の断面図である。
【図１４】従来の光学部品検知機構の正面図である。
【図１５】従来の光学部品検知機構の断面図である。
【発明を実施するための形態】
【００３２】
本発明の実施の形態を、図を参照して詳細に説明する。
【００３３】
先ず、本発明の光学部品検知機構を備えたレンズユニットを内蔵する撮像装置の一例として携帯電話機ついて図１に基づいて説明する。なお、図１（Ａ）は折り畳んだ携帯電話機を開いて内側から見た外観図であり、図１（Ｂ）は折り畳んだ携帯電話機を開いて外側から見た外観図である。
【００３４】
図１において、携帯電話機Ｔは、表示画面Ｄ１，Ｄ２を備えたケースとしての上筐体１０１と、操作ボタンＢを備えた下筐体１０２とがヒンジ１０３を介して連結されている。レンズユニットは、上筐体１０１内の表示画面Ｄ２の下方に内蔵されていて、上筐体１０１の外表面に撮像レンズの第１レンズ群１が露出している。なお、このレンズユニットの位置は上筐体１０１内の表示画面Ｄ２の上方や側面に配置してもよい。また、携帯電話機Ｔは折り畳み式に限定されるものではない。
【００３５】
なお、本発明の光学部品検知機構を備えたレンズユニットを内蔵する撮像装置としては、携帯端末としてのＰＤＡ（Ｐｅｒｓｏｎａｌ  Ｄｉｇｉｔａｌ  Ａｓｓｉｓｔａｎｔ）、デジタルカメラ、若しくはデジタルビデオカメラ等であってもよい。
【００３６】
次に、本発明の光学部品検知機構を備えたレンズユニットの一例を図２及び図３に基づいて説明する。
【００３７】
図２はレンズユニットの撮像光学系を示す図であり、図２（Ａ）は撮像光学系を保持したレンズユニットの縦断面図であり、図２（Ｂ）は撮像光学系を形成する各レンズ群の移動を示す図である。
【００３８】
１は第１レンズ群であり、レンズ１１、プリズム１２、レンズ１３及びレンズ１４から構成されている。被写体光はレンズ１１を透過した後、プリズム１２で折り曲げられ、レンズ１３及びレンズ１４を透過する。なお、レンズ１１の光軸ＯＡとレンズ１３及びレンズ１４の光軸ＯＢは略直角に交差している。また、第１レンズ群１は第１筐体２１に固定され、移動しない。
【００３９】
２は第２レンズ群であり、鏡枠３２に保持されている。第２レンズ群２は図２（Ｂ）に示す如く広角端Ｗから望遠端Ｔへの変倍時には光軸ＯＢに沿って後退する。
【００４０】
これらの第１レンズ群１、第２レンズ群２等の光学部品は第１筐体２１に保持され第１鏡胴ユニット７１としてユニット化されている。
【００４１】
Ｓはシャッタユニットであり、不図示のセクタ及び絞りを内蔵している。
【００４２】
３は第３レンズ群であり、鏡枠３３に保持され、更に鏡枠３３は第２筐体２２に固定されていて、第３レンズ群３は移動しない。
【００４３】
４は第４レンズ群であり、鏡枠３４に保持されている。第４レンズ群４は広角端Ｗから望遠端Ｔへの変倍時には光軸ＯＢに沿って前進する。
【００４４】
５は第５レンズ群であり、鏡枠３５に保持されている。第５レンズ群５は広角端Ｗから望遠端Ｔへの変倍時には光軸ＯＢに沿って前進する。なお、第５レンズ群５は変倍の後、破線で示す範囲まで移動して焦点調節も行う。
【００４５】
６は第６レンズ群であり、第２筐体２２に固定されていて、第６レンズ群６は移動しない。
【００４６】
７は光学フィルタであり、赤外カットフィルタ及びオプチカルローパスフィルタが積層され、第２筐体２２に固定されている。
【００４７】
８は撮像素子であり、ＣＣＤ型イメージセンサ若しくはＣＭＯＳ型イメージセンサ等が用いられ、第２筐体２２に固定されている。
【００４８】
これらの第３レンズ群３、第４レンズ群４、第５レンズ群５、第６レンズ群６、光学フィルタ７及び撮像素子８等の光学部品は第２筐体２２に保持され第２鏡胴ユニット７２としてユニット化されている。
【００４９】
そして、第１鏡胴ユニット７１にシャッタユニットＳが固定された状態で、第１鏡胴ユニット７１と第２鏡胴ユニット７２とが結合され、レンズユニット７０が形成される。
【００５０】
次に、各レンズ群を移動させる構成について図３に基づいて説明する。図３はレンズユニット７０の概略的な内部構造を示す斜視図である。
【００５１】
第２レンズ群２を保持する鏡枠３２には貫通孔が設けられてガイド軸４１とガイド軸４２が嵌合している。ガイド軸４１，４２はそれぞれ光軸ＯＢと平行に配置され、それぞれの根本部は第１筐体２１及びシャッタユニットＳに圧入されている。
【００５２】
更に、鏡枠３２にはコの字状の切り欠きを設けて、該切り欠きに雌ネジが形成された雌ネジ部材３２ｃが一体的に組み付けられ、この雌ネジ部材３２ｃの雌ネジにリードスクリュー４３に設けた雄ネジが螺合している。リードスクリュー４３は光軸ＯＢと平行に配置され、ステップモータ４４により回転する。
【００５３】
従って、ステップモータ４４によりリードスクリュー４３が回転すると、雌ネジ部材３２ｃ、即ち鏡枠３２は光軸ＯＢの方向に移動する。このとき、鏡枠３２はガイド軸４１により光軸ＯＢの方向に精密に案内されると共に、鏡枠３２がガイド軸４２により光軸ＯＢと直交する方向に回動することを防止している。
【００５４】
なお、鏡枠３２の初期位置をフォトセンサ４５が検知するので、ステップモータ４４の回転量及び回転方向を制御することにより、鏡枠３２、即ち第２レンズ群２を所定の位置に移動させることができる。
【００５５】
また、第４レンズ群４及び第５レンズ群５の移動に関しても類似した構成である。
【００５６】
第４レンズ群４を保持する鏡枠３４、及び第５レンズ群５を保持する鏡枠３５は光軸ＯＢと平行に配置された２本のガイド軸５１，５２に嵌合している。鏡枠３４は一体的に組み付けられた雌ネジ部材３４ｃを介してステップモータ５３の回転によって回転するリードスクリュー５４により光軸ＯＢの方向に移動する。一方、鏡枠３５は一体的に組み付けられた雌ネジ部材３５ｃを介してステップモータ５５の回転によって回転するリードスクリュー５６により光軸ＯＢの方向に移動する。
【００５７】
そして、鏡枠３４の初期位置をフォトセンサ４６が検知するので、ステップモータ５３の回転量及び回転方向を制御することにより、鏡枠３４、即ち第４レンズ群４を所定の位置に移動させることができる。また、鏡枠３５の初期位置をフォトセンサ４７が検知するので、ステップモータ５５の回転量及び回転方向を制御することにより、鏡枠３５、即ち第５レンズ群５を所定の位置に移動させることができる。
【００５８】
なお、以上の如く説明した撮像光学系においては入射した被写体光をプリズム１２にて折り曲げた後に撮像素子８に結像させたが、入射した被写体光を折り曲ることなく撮像素子８に結像させる撮像光学系であってもよい。
【００５９】
また、雌ネジ部材３２ｃと鏡枠３２、雌ネジ部材３４ｃと鏡枠３４、若しくは雌ネジ部材３５ｃと鏡枠３５を一体の部材として形成しても、別体の部材を結合してもよい。
【００６０】
以上の如きレンズユニットにおいては、第２レンズ群２、第４レンズ群４及び第５レンズ群５の初期位置に関してフォトセンサ４５，４６，４７が検知するが、初期位置を検知する対象はレンズユニットのレンズ群に限定されるものではない。例えば、手ぶれ防止機構において移動させるプリズムや撮像素子、一眼レフのクイックリターンミラー等、各種の光学部品が対象になる。
【００６１】
そこで、これらの検知に関する光学部品検知機構の実施の形態を以下に説明する。なお、以下に述べる実施の形態における検知対象は撮像レンズとして説明する。
（第１の実施の形態）
光学部品検知機構の第１の実施の形態を図４及び図５に基づいて説明する。図４は光学部品検知機構の断面図、図５は案内軸の平坦部を示す拡大斜視図である。
【００６２】
図４（Ａ），（Ｂ）において、Ｌは光学部品としての撮像レンズ、１１１は撮像レンズＬを保持する保持部材としてのレンズ枠である。左に配置された案内軸１１２にレンズ枠１１１の左に突出した筒部１１１ａが嵌合し、右に配置された案内軸１１３にレンズ枠１１１の右に突出した腕部１１１ｂが嵌合している。レンズ枠１１１は不図示の駆動手段によって駆動され、案内軸１１２，１１３に案内されて紙面上下方向に直進移動する。筒部１１１ａより外側にて筒部１１１ａに近接した位置に反射型フォトセンサ１１５が配置されている。また、図５に示す如く、案内軸１１２には外周面１１２ａを部分的に切り欠いた凹部１１２ｂが形成され、凹部１１２ｂの底部は平坦な平坦部１１２ｃになっていて、反射型フォトセンサ１１５の投光部から照射された光を反射型フォトセンサ１１５の受光部に反射する。
【００６３】
レンズ枠１１１が図４（Ａ）の如く下方に位置するときは、反射型フォトセンサ１１５から投光された光は案内軸１１２の平坦部１１２ｃに照射され、平坦部１１２ｃで反射した反射光は反射型フォトセンサ１１５に受光される。従って、反射型フォトセンサ１１５から出力される信号をオンと判断する。
【００６４】
一方、レンズ枠１１１が案内軸１１２，１１３に直進案内されて図の下方から上方に移動し、図４（Ｂ）の如く所定位置に移動したときは、反射型フォトセンサ１１５から投光された光は平坦部１１２ｃに照射されるが、平坦部１１２ｃで反射した反射光はレンズ枠１１１の筒部１１１ａの端部で遮蔽され、反射型フォトセンサ１１５に受光されない。従って、反射型フォトセンサ１１５から出力される信号がオンからオフに切り換わったものと判断する。依って、レンズ枠１１１が図４（Ｂ）の如く所定位置に移動したときに、フォーカシングの初期位置とすることができる。
【００６５】
なお、実際には平坦部１１２ｃで反射した反射光はレンズ枠１１１の移動に伴って筒部１１１ａの端部で遮蔽されて徐々に減少するものであって、反射型フォトセンサ１１５に受光される反射光が急にゼロに切り換わるものではない。従って、受光される反射光が減少し、例えば５０％の所定光量に達したときが境界になるように閾値を定め、反射型フォトセンサ１１５と接続したコンパレータを有する回路で５０％以下であると判断したときオフの信号を出力するようにする。
【００６６】
また、図４に示す反射型フォトセンサ１１５は投光部が上方にあって受光部が下方にあるものとするが、これを逆に配置した場合は、反射型フォトセンサ１１５から投光された光は筒部１１１ａで遮蔽され、反射型フォトセンサ１１５に受光されないので、同様にオフになる。
【００６７】
また、案内軸１１２を光沢のある金属等で形成すれば、反射型フォトセンサ１１５から照射された光は平坦部１１２ｃで充分に反射することができる。
【００６８】
このように、反射型フォトセンサ１１５から照射される光を反射する反射面を案内軸１１２に設けたので、従来技術の如く反射面を筒部に設けた場合と比較して、反射型フォトセンサ１１５をレンズ枠１１１の筒部１１１ａに近接させて配置することができ、この結果、レンズユニットを従来より小型化することができる。
（第２の実施の形態）
図４に示した光学部品検知機構において、反射型フォトセンサ１１５から照射された光の反射率を高めて反射光を増大させることが望ましい場合には、図６に示す光学部品検知機構の断面図の如く平坦部１１２ｃにアルミニュウム等のシートからなる反射板１１４を貼着すればよい。
（第３の実施の形態）
図４に示した光学部品検知機構においては、レンズ枠１１１の筒部１１１ａの内周面における軸方向中央部に逃げ部を設け、内周面の軸方向両端に位置する摺動面１１１ｃのみを案内軸１１２に当接させて摺動させている。これは、レンズ枠１１１の筒部１１１ａと案内軸１１２との摺動抵抗を低減させるためである。
【００６９】
しかし、摺動面１１１ｃが案内軸１１２の凹部１１２ｂの上方を通過するとき、摺動面１１１ｃが案内軸１１２の凹部１１２ｂに落ち込むと、摺動面１１１ｃのエッジが案内軸１１２の外周面１１２ａと凹部１１２ｂの側壁とが成すエッジ１１２ｄ（図５参照）に引っ掛かり、レンズ枠１１１が円滑に摺動しないことが希にある。
【００７０】
そこで、図７（Ａ）に示す光学部品検知機構の断面図、及び図７（Ｂ）に示す案内軸の拡大図の如く、案内軸１２２の外周面１２２ａと凹部１２２ｂの側壁とが成すエッジにＣ面取り１２２ｄを施せば、摺動面１１１ｂのエッジが案内軸１１２に引っ掛かることがなくなり、レンズ枠１１１は円滑に摺動する。
【００７１】
なお、Ｃ面取り１２２ｄを平坦部１２２ｃから設けるのでなく、図７（Ｃ）の案内軸１３２に示す如く、Ｃ面取り１３２ｄを平坦部１３２ｃから若干浮かせて施してもよい。
【００７２】
また、図７（Ｃ）の案内軸１４２に示す如く、外周面１４２ａと凹部１４２ｂの側壁とが成すエッジにＲ面取り１４２ｄを施してもよい。
（第４の実施の形態）
図４に示した光学部品検知機構においては、前述の如くレンズ枠１１１の筒部１１１ａの内周面における摺動面１１１ｃが案内軸１１２の凹部１１２ｂに落ち込むと、摺動面１１１ｃのエッジが案内軸１１２の外周面１１２ａと凹部１１２ｂの側壁とが成すエッジ１１２ｄ（図５参照）に引っ掛かり、レンズ枠１１１が円滑に摺動しないことが希にある。
【００７３】
そこで、図８に示す光学部品検知機構の断面図の如く、案内軸１５２の凹部１５２ｂの上方に位置する可能性があるレンズ枠１５１（保持部材）の筒部１５１ａの摺動面１５１ｃにおける軸方向の長さｄ１を凹部１５２ｂの軸方向の長さｄ２より長くすれば、摺動面１５１ｃが案内軸１５２の凹部１５２ｂに落ち込むことがなくなり、レンズ枠１５１は円滑に摺動する。
（第５の実施の形態）
図９に示す光学部品検知機構においては、レンズ枠１６１（保持部材）の筒部１６１ａに貫通孔１６１ｅが設けられている。
【００７４】
図９（Ａ）に示す如く、反射型フォトセンサ１６５から投光された光は貫通孔１６１ｅを通過して案内軸１６２の平坦部１６２ｃに照射され、平坦部１６２ｃで反射した反射光は再び貫通孔１６１ｅを通過して反射型フォトセンサ１６５に受光される。従って、反射型フォトセンサ１６５から出力される信号をオンと判断する。
【００７５】
一方、レンズ枠１６１が不図示の駆動手段によって駆動され、案内軸１６２，１６３に直進案内されて図の下方から上方に移動して図９（Ｂ）の如く所定位置に移動したときは、反射型フォトセンサ１６５から貫通孔１６１ｅを通過して投光された光は平坦部１６２ｃに照射されるが、平坦部１６２ｃで反射した反射光は筒部１６１ａで遮蔽され、反射型フォトセンサ１６５に受光されない。従って、反射型フォトセンサ１６５から出力される信号はオンからオフに切り換わったものと判断する。依って、レンズ枠１６１が図９（Ｂ）の如く所定位置に移動したときに、フォーカシングの初期位置とすることができる。
（第６の実施の形態）
図１０に示す光学部品検知機構においては、案内軸１７２が前述の案内軸とは異なって、図１１の拡大斜視図に示す如く、外周面１７２ａに部分的な凸部１７２ｂが設けられていて、凸部１７２ｂの先端面は平坦な平坦部１７２ｃになっていて、筒部１７１ａに近接した位置に配置された反射型フォトセンサ１７５から照射された光を反射する。一方、レンズ枠１７１（保持部材）の筒部１７１ａには遮光部材１７６が装着されている。
【００７６】
図１０（Ａ）に示す如く、反射型フォトセンサ１７５から投光された光は案内軸１７２の平坦部１７２ｃに照射され、平坦部１７２ｃで反射した反射光は反射型フォトセンサ１７５に受光される。従って、反射型フォトセンサ１７５から出力される信号をオンと判断する。
【００７７】
一方、レンズ枠１７１が不図示の駆動手段によって駆動され、案内軸１７２，１７３に直進案内されて図の下方から上方に移動して図１０（Ｂ）の如く位置したときは、反射型フォトセンサ１７５から投光された光は平坦部１７２ｃに照射されるが、平坦部１７２ｃで反射した反射光は遮光部材１７６で遮蔽される。従って、反射型フォトセンサ１７５に受光されず、反射型フォトセンサ１７５から出力される信号はオンからオフに切り換わったものと判断する。依って、レンズ枠１７１が図１０（Ｂ）の如く所定位置に移動したときに、フォーカシングの初期位置とすることができる。
【００７８】
なお、遮光部材１７６とレンズ枠１７１とを一体加工してもよい。従って、特許請求の範囲における「筒部に遮光部材が一体的に形成されている」という意味は、遮光部材１７６をレンズ枠７１に装着した場合と、遮光部材７６とレンズ枠７１とを一体加工した場合とを含む。
【００７９】
また、レンズ枠１７１が図１０（Ｂ）の状態より更に上方に移動したとき、筒部１７１ａの端部１７１ｄが案内軸１７２に設けた凸部１７２ｂの端部７２ｄに当接して端部１７２ｄがストッパーとなるので、レンズ枠１７１が予期せぬ移動をして設定した移動範囲外に移動することを防ぐことができる。
【００８０】
更に、平坦部１７２ｃに図６に示す如きアルミニュウム等のシートからなる反射板を貼着し、反射型フォトセンサ１６５から照射された光の反射率を更に高めて反射光を増大させるようにしてもよい。
（第７の実施の形態）
図１２に示す光学部品検知機構は、図４に示す光学部品検知機構と同一の構成である。しかし、図１２においては反射型フォトセンサ１１５に対するレンズ枠１１１の位置が図４と異なる。このためにレンズ枠１１１の移動による反射型フォトセンサ１１５の作動は下記の如くなる。
【００８１】
レンズ枠１１１が図１２（Ａ）の如く下方に位置するときは、反射型フォトセンサ１１５から投光された光はレンズ枠１１１の筒部１１１ａで遮蔽され、平坦部１１２ｃに達しないので、反射型フォトセンサ１１５に受光されない。従って、反射型フォトセンサ１１５から出力される信号はオフになる。
【００８２】
一方、レンズ枠１１１が不図示の駆動手段によって駆動され、案内軸１１２，１１３に直進案内されて図の下方から上方に移動して図１２（Ｂ）の如く位置したときは、反射型フォトセンサ９５から投光された光は案内軸１１２の平坦部１１２ｃに照射され、平坦部１１２ｃで反射した反射光は反射型フォトセンサ１１５に受光される。従って、反射型フォトセンサ１１５から出力される信号はオフからオンに切り換わったものと判断する。依って、レンズ枠１１１が図１２（Ｂ）の如く位置したときに、フォーカシングの初期位置とすることができる。
【００８３】
なお、この場合も反射型フォトセンサ１１５に受光される反射光がゼロから大きな量に急に切り換わるものではなく、レンズ枠１１１の移動に伴って筒部１１１ａで遮蔽されることが少なくなって反射光は徐々に増加するものである。従って、受光される反射光が増大し、例えば５０％の所定光量に達したときが境界になるように閾値を定め、反射型フォトセンサ１１５と接続したコンパレータを有する回路で５０％以上であると判断したときオンの信号を出力するようにする。
【００８４】
また、反射型フォトセンサに対するレンズ枠の位置を異ならせ、レンズ枠の移動による反射型フォトセンサのオンオフ作動を逆にすることは、前述の第１の実施の形態から第６の実施の形態まで全ての形態に適用可能である。
【００８５】
また、撮像レンズの初期位置を設定する目的はフォーカシングに限定されるものではなく、ズーミングであってもよい。
（第８の実施の形態）
図１３（Ａ）に示す光学部品検知機構は、案内軸１８２，１８３の一端は所定の支持部材１８８、例えば図２に示す第２筐体２２における光軸ＯＢと直交する側壁によって支持される。ここで、案内軸１８２は前述の如く反射型フォトセンサ１８５から投光された光を反射する平坦部１８２ｃを有するが、この平坦部１８２ｃは軸端部まで延長している。案内軸１８２の軸端部における断面形状は図１３（Ｂ）に示す如く平坦部１８２ｃに相当する弦を有する。従って、図１３（Ｃ）に示す如く、案内軸１８２の軸端部の形状に対応して弦の部分１８８ａ１を有する孔１８８ａを側壁１８８に穿設すると共に、弦の部分１８８ａ１が反射型フォトセンサ１８５の方向を向くように配置すれば、案内軸１８２の平坦部１８２ｃも反射型フォトセンサ１８５の方向を向き、平坦部１８２ｃが反射型フォトセンサ１８５の光を確実に反射することができる。
【００８６】
なお、図１３（Ａ）においては、撮像レンズＬを保持するレンズ枠１８１は最初は側壁１８８の近傍に位置して反射型フォトセンサ１８５から出力される信号はオフである。そして、レンズ枠１８１が図の上方に移動したときに反射型フォトセンサ１８５からの光が平坦部１８２ｃで反射して反射型フォトセンサ１８５で受光されると反射型フォトセンサ１８５から出力される信号はオンになる。
【００８７】
また、図１３に示す案内軸１８２の平坦部１８２ｃは凹部によって形成されているが、図１０及び図１１に示す如く凸部によって形成されていてもよい。
【符号の説明】
【００８８】
Ｌ  撮像レンズ
１１１，１５１，１６１，１７１，１８１，２１１  レンズ枠
１１１ａ，５１ａ，６１ａ，１７１ａ，２１１ａ  筒部
１１２，１２２，１３２，１４２，１５２，１６２，１７２，１８３，２１２  案内軸
１１２ａ，１２２ａ，１４２ａ，１７２ａ  外周面
１１２ｂ，１２２ｂ，１４２ｂ，１５２ｂ  凹部
１１２ｃ，１２２ｃ，１３２ｃ，１６２ｃ，１７２ｃ，１８２ｃ  平坦部
１１４，２１４  反射板
１１５，１６５，１７５，１８５，２１５  反射型フォトセンサ
１２２ｄ，１３２ｄ  Ｃ面取り
１４２ｄ  Ｒ面取り
１５１ｃ  摺動面
１６１ｅ  貫通孔
１７１ｄ，１７２ｄ  端部
１７２ｂ  凸部
１７６  遮光部材
【図１】
2010170017.tif 000003
【図２】
2010170017.tif 000004
【図３】
2010170017.tif 000005
【図４】
2010170017.tif 000006
【図５】
2010170017.tif 000007
【図６】
2010170017.tif 000008
【図７】
2010170017.tif 000009
【図８】
2010170017.tif 000010
【図９】
2010170017.tif 000011
【図１０】
2010170017.tif 000012
【図１１】
2010170017.tif 000013
【図１２】
2010170017.tif 000014
【図１３】
2010170017.tif 000015
【図１４】
2010170017.tif 000016
【図１５】
2010170017.tif 000017